(57)【特許請求の範囲】
【請求項１】
指で巻き取り部を一方の方向に回転させることにより巻き取り部にコードを巻き取ると共に、上記巻き取り部を他方の方向に回転させることによりコードを引き出すことができるコード引き出しおよび巻き取り装置において、
上記巻き取り部を一方の方向に回転させる際に回転力を付与する上記巻き取り部の表面に設けられた凸部または凹部の第１の傾斜角度と、上記巻き取り部を他方の方向に回転させる際に回転力を付与する上記巻き取り部の表面に設けられた凸部または凹部の第２の傾斜角度とを異ならせた逆巻き取り防止手段と、
上記本体側面上にコードの巻き取りまたは引き出しに伴って第１の位置または第２の位置に移動可能なスライド部を有し、上記コードの巻き取りの際に上記コードの巻き取りに伴って上記スライド部は第１の位置に移動し、上記コードの引き出しの際に上記スライド部を第２の位置に移動させるコード引き出し手段と、
を備えたことを特徴とするコード引き出しおよび巻き取り装置。
【請求項２】
請求項１記載のコード引き出しおよび巻き取り装置において、
上記第１の傾斜角度を約７５度から９０度とし、上記第２の傾斜角度を４５度以下とすることを特徴とするコード引き出しおよび巻き取り装置。
【請求項３】
請求項１記載のコード引き出しおよび巻き取り装置において、
上記巻き取り部の表面に設けられた凸部または凹部は、上記巻き取り部の回転中心から放射状等間隔に少なくとも６本設けることを特徴とするコード引き出しおよび巻き取り装置。
【請求項４】
請求項１記載のコード引き出しおよび巻き取り装置において、
上記巻き取り部の表面に設けられた凸部または凹部は、曲線状、矩形状、または階段状にすることを特徴とするコード引き出しおよび巻き取り装置。
【請求項５】
請求項１記載のコード引き出しおよび巻き取り装置において、
上記コードを跨いで上記コードの巻き取りまたは引き出しをガイドすると共に、上記コードの端部に設けられた電子部品取付用の貫通管の接触面に接触して第１の位置または第２の位置に移動可能なフック部を有し、上記フック部は上記スライド部と一体化することを特徴とするコード引き出しおよび巻き取り装置。
【発明の詳細な説明】
【０００１】
【発明の属する技術分野】
本発明は、例えば、電子部品を取り付けたコードの巻き取りまたは引き出しを行うコード引き出しおよび巻き取り装置に関するものである。
【０００２】
【従来の技術】
従来、マイクロホンやヘッドホンなどに接続されているコードを装置側に設けられた巻き取り部に巻き取ることによりコードを収納させる機構が設けられていた。このようなコードを収納する機構を設けると、装置内に本体機能の他に巻き取り部を収納するスペースを確保した上でさらに後述する巻き取り防止機構も組み込まなければならなかった。
【０００３】
具体的には、巻き取り防止機構として、装置内部にラチェットやクラッチ機構を設けることによって、コードを巻き取る巻き取り部のリールの回転方向を一方向に制限していた。
【０００４】
【発明が解決しようとする課題】
しかし、上述した従来の巻き取り防止機構では、コードを引き出す際にレバーやスイッチの操作によってラチェットやクラッチ機構による巻き取り部のリールの回転方向の制限を解除する必要があるため、ユーザーは、コードを引き出すという操作の他にもう一つ制限解除のためにレバーやスイッチの操作が必要になり、操作性が低下するという不都合があった。
【０００５】
また、上述した巻き取り防止機構では、構造が複雑であるため、部品点数が増加し、これにより、コストアップとなり、さらに、装置が大型化することとなり、特に、マイクロホンやヘッドホンなどを備える小型化が要求される装置では、上述した巻き取り防止機構を組み込むことは設計の制約上非常に困難であるという不都合があった。
【０００６】
つまり、コード引き出し機構において、バネの弾性力を用いてコード先端部のプラグを押し出す構造にすると、部品点数の増加によって、構造の複雑化や、スペースの確保をすることが困難となり、また、装置端部に切り欠きを設けてコード先端部のプラグをユーザーが指でつまみ出す構造では簡単で部品点数が少なくてすむが、コード先端部のプラグが露出してしまうため、安全性および外観上大きな影響があるという不都合があった。
【０００７】
そこで、本発明は、かかる点に鑑みてなされたものであり、簡単な構造で巻き取り防止機構およびコード引き出し機構を構成するコード引き出しおよび巻き取り装置を提供することを課題とする。
【０００８】
【課題を解決するための手段】
本発明のコード引き出しおよび巻き取り装置は、指で巻き取り部を一方の方向に回転させることにより巻き取り部にコードを巻き取ると共に、巻き取り部を他方の方向に回転させることによりコードを引き出すことができるコード引き出しおよび巻き取り装置において、巻き取り部を一方の方向に回転させる際に回転力を付与する巻き取り部の表面に設けられた凸部または凹部の第１の傾斜角度と、巻き取り部を他方の方向に回転させる際に回転力を付与する巻き取り部の表面に設けられた凸部または凹部の第２の傾斜角度とを異ならせた逆巻き取り防止手段と、本体側面上にコードの巻き取りまたは引き出しに伴って第１の位置または第２の位置に移動可能なスライド部を有し、コードの巻き取りの際にコードの巻き取りに伴ってスライド部は第１の位置に移動し、コードの引き出しの際にスライド部を第２の位置に移動させるコード引き出し手段とを備えたものである。
【０００９】
従って本発明によれば、以下の作用をする。
逆巻き取り防止手段は以下の作用をする。
巻き取り部を一方の方向に回転させる際に回転力を付与する巻き取り部の表面に設けられた凸部または凹部を第１の傾斜角度とし、巻き取り部を他方の方向に回転させる際に回転力を付与する巻き取り部の表面に設けられた凸部または凹部を第２の傾斜角度とする。
【００１０】
これにより、凸部または凹部の第１の傾斜角度をユーザーの指のかかりやすい角度にすることにより、巻き取り部を一方の方向に回転させることにより巻き取り部にコードを巻き取ると共に、凸部または凹部の第２の傾斜角度をユーザーの指のかかりにくい角度にすることにより、巻き取り部を他方の方向に回転させにくくすることにより逆巻き取りを防止することができる。
【００１１】
コード引き出し手段は以下の作用をする。
スライド部は、コードの巻き取りまたは引き出しに伴って第１の位置または第２の位置に移動可能とした。これにより、コードの巻き取りの際にコードの巻き取りに伴ってスライド部は第１の位置に移動し、原点復帰をすると共に、コードの引き出しの際にスライド部を第２の位置に移動させることにより、コードを引き出すことができる。
【００１２】
【発明の実施の形態】
以下に、本発明の実施の形態を説明する。
本実施の形態のコード引き出しおよび巻き取り装置は、凸部または凹部の第１の傾斜角度をユーザーの指のかかりやすい角度にすることにより、巻き取り部を一方の方向に回転させることにより巻き取り部にコードを巻き取ると共に、凸部または凹部の第２の傾斜角度をユーザーの指のかかりにくい角度にすることにより、巻き取り部を他方の方向に回転させにくくすることにより逆巻き取りを防止し、コードの巻き取りの際にコードの巻き取りに伴ってスライド部は第１の位置に移動し、原点復帰をすると共に、コードの引き出しの際にスライド部を第２の位置に移動させることにより、コードを引き出すことができるものである。
【００１３】
図１は、コード引き出し及び巻き取り機構を示す図である。本実施の形態では、マイクロホン装置のセット本体にコードを介してプラググリップを設ける例を示す。セット本体は、いわゆるカードサイズであり、７はマイクロホン、８は電源スイッチである。
図１において、セット本体１の表面上に、リール状のコード巻き取り部の指あて部２が設けられ、指あて部２には指がかり３が設けられる。この指がかり３は、矢印１１で示すコード巻き取り方向にコード巻き取り部を回転させる際にユーザーの指のかかりやすい角度に形成され、矢印１１とは逆のコード逆巻き取り方向にコード巻き取り部を回転させる際にユーザーの指のかかりにくい角度に形成される。この指がかり３は、巻き取り部の回転中心から放射状等間隔に８本設けてあるが、少なくとも６本設けるようにする。
【００１４】
これにより、ユーザーの指のかかりやすい角度に形成された指がかり３をユーザーが支持して、巻き取り部を矢印１１の方向に回転させることにより巻き取り部にコードを巻き取ると共に、ユーザーの指のかかりにくい角度に形成された指がかり３をユーザーが支持して、巻き取り部を矢印１１と逆の方向に回転させにくくすることにより逆巻き取りを防止することができ、従来のようにセット本体１内部に逆巻き防止のための機構を組み込まなくても済むため、セット本体１全体の小型化を図ることができる。
【００１５】
また、セット本体１の側面上に、コード６の巻き取りまたは引き出しに伴って点線の位置または実線の位置に１２で示す矢印方向とは逆の方向または１２で示す矢印方向にスライドして移動可能な指掛け４を設けた。
【００１６】
これにより、上述した巻き取り部を矢印１１の方向に回転させることによるコード６の巻き取りの際にコード６の巻き取りに伴って指掛け４は１２で示す矢印方向とは逆の方向にスライドして点線の位置に移動し、原点復帰をすることができる。
【００１７】
また、コード６の引き出しの際にユーザーが指掛け４を１２で示す矢印方向にスライドして実線の位置に移動させることにより、コード６の先端部に設けられたプラググリップ５がセット本体１の先端の開口部から排出されるので、ユーザーがプラググリップ５をつまんで引き出すことにより、コード６を容易に引き出すことができる。
【００１８】
図２は、指がかりの断面を示す図である。図２は、指あて部２が設けられた巻き取り部の回転中心軸方向の指がかり３の切断面を示す図である。
図２において、指がかり３は、２１で示す正回転方向、つまり、巻き取り部を図１に示した矢印１１の方向に回転させることにより巻き取り部にコードを巻き取る際には、ユーザーの指のかかりやすい角度に形成され、２２で示す逆回転方向、つまり、巻き取り部を図１に示した矢印１１とは逆の方向に逆回転させる際には、ユーザーの指のかかりにくい角度に形成される。指がかり３の高さは、例えば１ｍｍ程度である。
【００１９】
図２において、指がかり３に対して、２１で示す正回転方向では、ユーザーの指は２１で示す正回転方向から支持される。この場合、指あて部２の面に対して指がかり３の凸部の肉厚部側の壁の角度が約７５度から９０度の範囲で垂直に近い角度で立っているため、ユーザーの指が指がかり３にかかりやすく、このため、コード６の巻き取りをスムーズに行うことができる。
【００２０】
また、逆に、指がかり３に対して、２２で示す逆回転方向では、ユーザーの指は２２で示す逆回転方向から支持される。この場合、指あて部２の面に対して指がかり３の凸部の肉厚部側の壁の角度が約４５度以下の斜面になっているため、ユーザーの指がすべって指がかり３にかかりにくく、このため、コード６の巻き取りができないようにすることができる。
【００２１】
上述したように、２１で示す正回転方向に約７５度から９０度の範囲の角度で、２２で示す逆回転方向に約４５度以下の角度を有する指がかり３を、指あて部２上に巻き取り部の回転中心から放射状等間隔に同じ回転方向の向きに複数直線的に形成して設けるようにする。これにより、ユーザーが指を当てる位置を限定せず、なおかつ万一指が滑っても、次の位置の指がかり３を支持することにより、逆巻き取りを防止すると共に、コード６の巻き取りを継続して行うことができる。
【００２２】
図３は、指あて部の逆巻き取り防止構造の応用例を示す図である。
上述した指あて部２の構造は、巻き取り部の回転中心から放射状等間隔に同じ回転方向の向きに複数直線的に形成して設けるようにしたが、これに限らず、以下に示す応用例の形状にしてもよい。
【００２３】
図３Ａは、指あて部２の構造を、巻き取り部の回転中心から放射状等間隔に同じ回転方向の向きに複数曲線的に形成して設けるようにしたものである。この場合、指あて部２は、上述した正回転方向で曲線の内側に約７５度から９０度の範囲の角度で、逆回転方向で曲線の外側に約４５度以下の角度を有するように形成する。
【００２４】
図３Ｂは、指あて部２の構造を、巻き取り部の回転中心から放射状等間隔に同じ回転方向の向きに複数矩形状の窪みを形成して設けるようにしたものである。この場合、指あて部２は、上述した正回転方向で矩形の内側の窪みに約７５度から９０度の範囲の角度で、逆回転方向で矩形の外側の窪みに約４５度以下の角度を有するように形成する。
【００２５】
図３Ｃは、指あて部２の構造を、巻き取り部の回転中心から放射状等間隔に同じ回転方向の向きに複数階段状に形成して設けるようにしたものである。この場合、指あて部２は、上述した正回転方向で階段状に約７５度から９０度の範囲の角度で、逆回転方向で階段状に約４５度以下の角度を有するように形成する。
【００２６】
これにより、指あて部２の構造を、巻き取り部の回転中心から放射状等間隔に同じ回転方向の向きに複数曲線的に形成しても、指あて部２の構造を、巻き取り部の回転中心から放射状等間隔に同じ回転方向の向きに複数矩形状の窪みを形成しても、また、指あて部２の構造を、巻き取り部の回転中心から放射状等間隔に同じ回転方向の向きに複数階段状に形成しても、指あて部２の形状に関わらず、ユーザーが指を当てる位置を限定せず、なおかつ万一指が滑っても、次の位置の指がかり３を支持することにより、逆巻き取りを防止すると共に、コード６の巻き取りを継続して行うことができる。
【００２７】
図４は、プラグ押し出し機構の構造を示す図である。図４は、コード引き出しのためのプラグ押し出し機構を示すものである。
図４において、セット本体１の側面上に、コード６の巻き取りまたは引き出しに伴ってストローク４５にわたって第１の位置または第２の位置にスライドして移動可能な指掛け４が設けられる。
【００２８】
略コ字状のフック４３は、コード６を跨いでコード６の巻き取りまたは引き出しをガイドすると共に、フック４３の接触面４４は、コード６の端部に設けられた電子部品としてのプラググリップ５取付用の貫通管であるブッシング部４１の接触面４１に接触してストローク４５にわたって第１の位置または第２の位置に移動可能に構成される。このフック４３は指掛け４と一体に構成されている。
【００２９】
これにより、上述した巻き取り部を矢印１１の方向に回転させることによるコード６の巻き取りの際にコード６の巻き取りに伴って、略コ字状のフック４３は、コード６を跨いでコード６の巻き取りをガイドすると共に、フック４３の接触面４４は、コード６の端部に設けられた電子部品としてのプラググリップ５取付用の貫通管であるブッシング部４１の接触面４２に接触してストローク４５にわたって第１の位置に移動する。これにより、指掛け４はストローク４５にわたってスライドして第１の位置に移動し、原点復帰をすることができる。
【００３０】
また、コード６の引き出しの際にユーザが指掛け４をストローク４５にわたってスライドして第２の位置に移動させることにより、略コ字状のフック４３は、コード６を跨いでコード６の引き出しをガイドすると共に、フック４３の接触面４４は、コード６の端部に設けられた電子部品としてのプラググリップ５取付用の貫通管であるブッシング部４１の接触面４２に接触してストローク４５にわたって第２の位置に移動する。これにより、コード６の先端部に設けられたプラググリップ５がセット本体１の先端の開口部から排出されるので、ユーザがプラググリップ５をつまんで引き出すことにより、コード６を容易に引き出すことができる。
【００３１】
図５は、フックとコードとブッシング部との関係を示す拡大図である。
フック４３は、一定のクリアランス５１およびクリアランス５２を有してコード６を跨いでコード６の巻き取りまたは引き出しをガイドする。また、フック４３の接触面４４は、左右両方から均等の力で、コード６の端部に設けられた電子部品としてのプラググリップ５取付用の貫通管であるブッシング部４１の接触面４２と接触する。
【００３２】
図６は、端子を押した場合のプラグの動きを示す図である。
ここで、コード６の引き出しの際に、図６に示すようにフック４３の押圧６２により、プラググリップ５の端子部６１を押すと、コード６の摩擦抵抗などの力６４によりコード６がプラググリップ５を引っ張る力とフック４３がプラググリップ５の端子部６１を押す力とにより、６３で示すプラグの動きになるため、プラググリップ５がブッシング部とコード６との接続部で回転６５をするようになる。
【００３３】
その際、セット本体１のプラググリップ５の収納部のスペースが狭いと回転６５によってプラググリップ５が収納部の内側の壁に引っかかるなどするため、コード６の引き出しの際に、プラググリップ５を取り出しにくくなる。
【００３４】
図７は、ブッシング部を押した場合のプラグの動きを示す図である。
そこで、フック４３をコード６の左右両側に跨ぐようにして設け、フック４３をコード６の左右両方から均等の力でプラググリップ５のブッシング部を押圧７１および押圧７２をする。これにより、コードの摩擦抵抗などの力７４によりコード６がプラググリップ５を引っ張る力とフック４３がプラググリップ５のブッシング部を左右両方から均等に押す力とが同一軸上に来るので、７３で示すプラグの動きになるため、プラググリップ５が回転するなどの無駄な動きが起こらない。
【００３５】
このため、コード６の引き出しの際に、プラググリップ５を確実かつスムーズに取り出すことができる。また、コード６の巻き取りの際に、ブッシング部が左右両方から均等の力でフック４３を押し戻すので、巻き取りの動作に伴ってフック４３および指掛け４を原点復帰させることができ、従来のようにバネなどを用いて意図的に指かけを原点復帰させる必要が無く、この結果、フック４３と指掛け４とを一体化させて同一部品で構成することができるので、プラグ押し出し機構としての部品を１点のみにすることができ、部品点数を少なくして簡便な機構にすることができる。
【００３６】
図８は、クリック感をもたせるための指掛けの具体例を示す図である。
図８において、セット本体１の側面に対して上述したようにストローク４５にわたって第１の位置または第２の位置にスライドする指掛け４の下面のセット本体１の側面と接触する面に凹部８２および凹部８３を設けて、セット本体１の側面上に突起８１を設ける。
【００３７】
これにより、上述した巻き取り部を矢印１１の方向に回転させることによるコード６の巻き取りの際にコード６の巻き取りに伴って、ストローク４５にわたって実線で示す第１の位置に移動する。このとき、指掛け４の下面の凹部８３の左端部がセット本体１の側面上の突起８１に当たった後に、凸部を乗り越えて凹部８２がセット本体１の側面上の突起８１に嵌合する。これにより、指掛け４はストローク４５にわたってスライドして実線で示す第１の位置に移動し、突起８１の凹部８２への嵌合によりクリック感をもたせてスライドの停止をユーザに知らせて、原点復帰をすることができる。
【００３８】
また、コード６の引き出しの際にユーザが指掛け４をストローク４５にわたってスライドして点線で示す第２の位置に移動させることにより、指掛け４はストローク４５にわたって点線で示す第２の位置に移動する。このとき、指掛け４の下面の凸部を乗り越えて凹部８３の右端部がセット本体１の側面上の突起８１に当たって停止する。
【００３９】
これにより、クリック感をもたせてスライドを開始して指掛け４はストローク４５にわたってスライドして点線で示す第２の位置に移動し、突起８１の凹部８３への当接によりスライドの停止をユーザに知らせて、コード６の先端部に設けられたプラググリップ５がセット本体１の先端の開口部から排出されるので、ユーザがプラググリップ５をつまんで引き出すことにより、コード６を容易に引き出すことができる。
【００４０】
これにより、クリック感をもたせてスライドの停止または開始をユーザに知らせることにより、積極的な原点への位置決めをすることで、自重によりおよび装置を振動させたときなどにコード引き出し機構の位置がずれてプラググリップ５が勝手に出てくるのを防ぐことができる。
【００４１】
図９および図１０は、セット本体の上面のカバーがある場合およびセット本体の上面のカバーがない場合の使用状態を示す図である。
図９および図１０において、セット本体１の側面上に、コード６の巻き取りまたは引き出しに伴ってストローク４５にわたって点線で示す第１の位置または実線で示す第２の位置にスライドして移動可能な指掛け４が設けられる。
【００４２】
略コ字状のフック４３は、コード６を跨いでコード６の巻き取りまたは引き出しをガイドすると共に、フック４３の接触面４４は、コード６の端部に設けられた電子部品としてのプラググリップ５取付用の貫通管であるブッシング部４１の接触面４２に接触してストローク４５にわたって点線で示す第１の位置または実線で示す第２の位置に移動可能に構成される。このフック４３は指掛け４と一体に構成されている。
【００４３】
これにより、上述した指あて部２の指がかり３にユーザーが指を支持して巻き取り部を矢印１１の方向に回転させることによるコード６の巻き取りの際にコード６の巻き取りに伴って、略コ字状のフック４３は、コード６を跨いでコード６の巻き取りをガイドすると共に、フック４３の接触面４４は、コード６の端部に設けられた電子部品としてのプラググリップ５取付用の貫通管であるブッシング部４１の接触面４２に接触してストローク４５にわたって第１の位置に移動する。これにより、指掛け４はストローク４５にわたってスライドして点線で示す第１の位置に移動し、原点復帰をすることができる。このとき、コード６の端部に設けられたプラググリップ５は点線で示すセット本体１の先端の開口部の内部に収納される。
【００４４】
また、コード６の引き出しの際にユーザが指掛け４をストローク４５にわたってスライドして実線で示す第２の位置に移動させることにより、略コ字状のフック４３は、コード６を跨いでコード６の引き出しをガイドすると共に、フック４３の接触面４４は、コード６の端部に設けられた電子部品としてのプラググリップ５取付用の貫通管であるブッシング部４１の接触面４２に接触してストローク４５にわたって実線で示す第２の位置に移動する。これにより、コード６の先端部に設けられたプラググリップ５が実線で示すようにストローク４５の分だけセット本体１の先端の開口部から排出されるので、ユーザがプラググリップ５をつまんで引き出すことにより、コード６を容易に引き出すことができる。
【００４５】
図１１は、コード巻き取り部の内部を示す図である。
図１１において、コード巻き取り部１１１は、外側に上述した指あて部２が設けられ、内側に回転中心に回転軸１１２および外周に回転枠１１３が設けられている。回転軸１１２は、セット本体１の軸受けに嵌合され、回転枠１１３は、セット本体１の固定枠に嵌合される。回転枠１１３の内周側には、一端が回路部に接続されたフレキシブルケーブル１１４が緩く巻回され、外周側には、他端にプラググリップ５が設けられたコード６が巻回される。
【００４６】
コード巻き取り部１１１の回転軸１１２がセット本体１の軸受けに対して回転し、コード巻き取り部１１１の回転枠１１３がセット本体１の固定枠に対して回転することにより、コード巻き取り部１１１がセット本体１に対して正回転方向に回転してコード６を巻き取るときは、コード巻き取り部１１１の回転枠１１３の内周側に緩く巻回されたフレキシブルケーブル１１４が徐々に密接に巻回される。逆に、コード巻き取り部１１１がセット本体１に対して逆回転方向に回転してコード６を引き出すときは、コード巻き取り部１１１の回転枠１１３の内周側に密接に巻回されたフレキシブルケーブル１１４が徐々に緩く巻回される。
【００４７】
また、上述した本実施の形態では、指掛け４はストローク４５にわたってスライドして点線で示す第１の位置に移動し、原点復帰をすると共に、第２の位置に移動することにより、コード６の先端部に設けられたプラググリップ５が実線で示すようにストローク４５の分だけセット本体１の先端の開口部から排出されるので、ユーザーがプラググリップ５をつまんで引き出すことにより、コード６を容易に引き出すことができる例のみを示した。
【００４８】
しかし、これに限らず、指掛け４が第１の位置に移動したとき、セット本体１の電源スイッチ８をオフにし、指掛け４が第２の位置に移動したとき、セット本体１の電源スイッチ８をオンにして、指掛け４の第１の位置または第２の位置への移動と、セット本体１の電源スイッチ８とを連動させるようにしてもよい。
【００４９】
また、これに限らず、指掛け４が第１の位置に移動したとき、セット本体１のコード巻き取り部に設けられた逆巻き取り方向への回転を止める逆巻き取り係止片をオフにし、指掛け４が第２の位置に移動したとき、セット本体１のコード巻き取り部に設けられた逆巻き取り方向への回転を止める逆巻き取り係止片をオンにして、指掛け４の第１の位置または第２の位置への移動と、セット本体１のコード巻き取り部に設けられた逆巻き取り方向への回転を止める逆巻き取り係止片の動作とを連動させるようにしてもよい。
【００５０】
上述した本実施の形態における逆巻き防止構造において、第１に、簡単な構造でコードの逆巻きを防止し、コードの断線を防ぐことができ、第２に、指がかりが複数あるので押さえる箇所が限定されずスムーズに巻き取りを行うことができ、第３に、コード巻き取り部内部に逆巻き防止の構造を持たないのでセット本体の小型化、薄型化を図ることができ、第４に、バネ機構がなく部品点数が少ないので組み込みが容易で部品代も安価にすることができる。
【００５１】
また、上述した本実施の形態におけるコード引き出し構造において、第１に、一つの部品で確実なコードの引き出しをすることができ、第２に、セット本体の外側に出る部品が指掛けのみなので、デザインの自由度を高くすることができ、第３に、バネ機構がなく部品点数が少ないので組み込みが容易で部品代も安価にすることができる。
【００５２】
なお、本実施の形態では、マイクロホン装置のセット本体にコードを介してプラググリップを設ける例を示したが、これに限らず、ラジオ受信機や記録再生装置のセット本体にコードを介してイヤホンやヘッドホンを設けるようにしてもよい。本実施の形態は、電子機器にコードを介して電子部品を設けるものであれば、他のものに適用することができることはいうまでもない。
【００５３】
【発明の効果】
この発明のコード引き出しおよび巻き取り装置は、巻き取り部を一方の方向に回転させることにより巻き取り部にコードを巻き取ると共に、巻き取り部を他方の方向に回転させることによりコードを引き出すことができるコード引き出しおよび巻き取り装置において、巻き取り部を一方の方向に回転させる際に回転力を付与する巻き取り部の表面に設けられた凸部または凹部の第１の傾斜角度と、巻き取り部を他方の方向に回転させる際に回転力を付与する巻き取り部の表面に設けられた凸部または凹部の第２の傾斜角度とを異ならせた逆巻き取り防止手段と、コードの巻き取りまたは引き出しに伴って第１の位置または第２の位置に移動可能なスライド部を有し、コードの巻き取りの際にコードの巻き取りに伴ってスライド部は第１の位置に移動し、コードの引き出しの際にスライド部を第２の位置に移動させるコード引き出し手段とを備えたので、簡単な構造で巻き取り防止機構およびコード引き出し機構を構成することができ、逆巻き防止構造において、第１に、簡単な構造でコードの逆巻きを防止し、コードの断線を防ぐことができ、第２に、指がかりが複数あるので押さえる箇所が限定されずスムーズに巻き取りを行うことができ、第３に、コード巻き取り部内部に逆巻き防止の構造を持たないのでセット本体の小型化、薄型化を図ることができ、第４に、バネ機構がなく部品点数が少ないので組み込みが容易で部品代も安価にすることができ、コード引き出し構造において、第１に、一つの部品で確実なコードの引き出しをすることができ、第２に、セット本体の外側に出る部品が指掛けのみなので、デザインの自由度を高くすることができ、第３に、バネ機構がなく部品点数が少ないので組み込みが容易で部品代も安価にすることができるという効果を奏する。
【００５４】
また、この発明のコード引き出しおよび巻き取り装置は、上述において、第１の傾斜角度を約７５度から９０度とし、第２の傾斜角度を４５度以下とするので、指がかりに対して、正回転方向では、ユーザーの指は正回転方向から支持され、指あて部の面に対して指がかりの角度が約７５度から９０度の範囲で垂直に近い角度で立っているため、ユーザーの指が指がかりにかかりやすく、このため、コードの巻き取りをスムーズに行うことができ、また、逆に、指がかりに対して、逆回転方向では、ユーザーの指は逆回転方向から支持され、指あて部の面に対して指がかりの角度が約４５度以下の斜面になっているため、ユーザーの指がすべって指がかりにかかりにくく、このため、コードの巻き取りができないようにすることができるという効果を奏する。
【００５５】
また、この発明のコード引き出しおよび巻き取り装置は、上述において、巻き取り部の表面に設けられた凸部または凹部は、巻き取り部の回転中心から放射状等間隔に少なくとも６本設けるので、ユーザーが指を当てる位置を限定せず、なおかつ万一指が滑っても、次の位置の指がかりを支持することにより、逆巻き取りを防止すると共に、コードの巻き取りを継続して行うことができるという効果を奏する。
【００５６】
また、この発明のコード引き出しおよび巻き取り装置は、上述において、巻き取り部の表面に設けられた凸部または凹部は、曲線状、矩形状、または階段状にするので、指あて部の構造を、巻き取り部の回転中心から放射状等間隔に同じ回転方向の向きに複数曲線的に形成しても、指あて部の構造を、巻き取り部の回転中心から放射状等間隔に同じ回転方向の向きに複数矩形状の窪みを形成しても、また、指あて部の構造を、巻き取り部の回転中心から放射状等間隔に同じ回転方向の向きに複数階段状に形成しても、指あて部の形状に関わらず、ユーザーが指を当てる位置を限定せず、なおかつ万一指が滑っても、次の位置の指がかりを支持することにより、逆巻き取りを防止すると共に、コードの巻き取りを継続して行うことができるという効果を奏する。
【００５７】
また、この発明のコード引き出しおよび巻き取り装置は、上述において、コードを跨いでコードの巻き取りまたは引き出しをガイドすると共に、コードの端部に設けられた電子部品取付用の貫通管の接触面に接触して第１の位置または第２の位置に移動可能なフック部を有し、フック部はスライド部と一体化するので、巻き取り部を正回転方向に回転させることによるコードの巻き取りの際にコードの巻き取りに伴って、フックは、コードを跨いでコードの巻き取りをガイドすると共に、フックの接触面は、コードの端部に設けられた電子部品取付用の貫通管の接触面に接触して第１の位置に移動することにより、指掛けはスライドして第１の位置に移動し、原点復帰をすることができ、また、コードの引き出しの際にユーザが指掛けをスライドして第２の位置に移動させることにより、フックは、コードを跨いでコードの引き出しをガイドすると共に、フックの接触面は、コードの端部に設けられた電子部品取付用の貫通管の接触面に接触して第２の位置に移動することにより、コードの先端部に設けられた電子部品がセット本体の先端の開口部から排出されるので、ユーザが電子部品をつまんで引き出すことにより、コードを容易に引き出すことができるという効果を奏する。
【図面の簡単な説明】
【図１】本実施の形態に適用されるコード引き出し及び巻き取り機構を示す図である。
【図２】指がかりの断面を示す図である。
【図３】指あて部の逆巻き取り防止構造の応用例を示す図であり、図３Ａは、指あて部の構造を、巻き取り部の回転中心から放射状等間隔に同じ回転方向の向きに複数曲線的に形成し、図３Ｂは、指あて部の構造を、巻き取り部の回転中心から放射状等間隔に同じ回転方向の向きに複数矩形状の窪みを形成し、図３Ｃは、指あて部の構造を、巻き取り部の回転中心から放射状等間隔に同じ回転方向の向きに複数階段状に形成して設けるようにしたものである。
【図４】プラグ押し出し機構の構造を示す図である。
【図５】フックとコードとブッシング部との関係を示す拡大図である。
【図６】端子を押した場合のプラグの動きを示す図である。
【図７】ブッシング部を押した場合のプラグの動きを示す図である。
【図８】クリック感をもたせるための指掛けの具体例を示す図である。
【図９】セット本体の上面のカバーがある場合の使用状態を示す図である。
【図１０】セット本体の上面のカバーがない場合の使用状態を示す図である。
【図１１】コード巻き取り部の内部を示す図である。
【符号の説明】
１……セット本体、２……指あて部、３……指がかり、４……指掛け、５……プラググリップ、６……コード、７……マイクロホン、８……電源スイッチ、１１……回転方向、１２……スライド、２１……正回転方向、２２……逆回転方向、４１……ブッシング部、４２……面、４３……フック、４４……面、４５……ストローク、５１、５２……クリアランス、６１……端子部、６２、７１、７２……押圧、６３、７３……プラグの動き、６４，７４……コードの摩擦抵抗などの力、６５……回転、８１……突起、８２、８３……凹部、１１１……コード巻き取り部、１１２……回転軸、１１３……回転枠、１１４……フレキシブルケーブル
【図１】
0004016177.tif 000002
【図２】
0004016177.tif 000003
【図３】
0004016177.tif 000004
【図４】
0004016177.tif 000005
【図５】
0004016177.tif 000006
【図６】
0004016177.tif 000007
【図７】
0004016177.tif 000008
【図８】
0004016177.tif 000009
【図９】
0004016177.tif 000010
【図１０】
0004016177.tif 000011
【図１１】
0004016177.tif 000012